(57)【要約】  加熱調理器において、複数のＩＨコイル（３）は、天板の下方に設けられ、被加熱物を誘導加熱する。操作表示部（７）は、タッチパネル（５）で構成され、タッチパネル（５）への操作を促す情報を表示し、タッチパネル（５）への操作を入力する。制御部（２０２）は、操作表示部（７）への操作に応じて操作表示部（７）と駆動部（２０３）とを制御する。制御部（２０２）はさらに、タッチパネル（５）におけるドラッグ操作に応じて、タッチパネル（５）上に選択領域を、天板上に加熱領域をそれぞれ設定する。操作表示部（７）は選択領域を表示する。駆動部（２０３）は加熱領域に対応する一つ以上のＩＨコイル（３）を駆動する。本構成により、操作性を損なうことなく、被加熱物の載置位置に関する自由度を改善可能な、より安価な加熱調理器を提供することができる。
2016009627.tif 000002
【特許請求の範囲】
【請求項１】
被加熱物を載置する天板と、
前記天板の下方に設けられ、前記被加熱物を誘導加熱する複数のＩＨコイルと、
タッチパネルで構成され、前記タッチパネルへの操作を促す情報を表示し、前記タッチパネルへの操作を入力する操作表示部と、
前記複数のＩＨコイルを駆動する駆動部と、
前記操作表示部への操作に応じて前記操作表示部と前記駆動部とを制御する制御部と、を備え、
前記制御部は、前記タッチパネル上のドラッグ操作に応じて、前記タッチパネル上に選択領域を、前記天板上に加熱領域をそれぞれ設定し、
前記操作表示部は、前記選択領域を表示し、
前記駆動部は、前記加熱領域に対応する一つ以上の前記ＩＨコイルを駆動するように構成された加熱調理器。
【請求項２】
前記操作表示部が、前記選択領域を設定することが可能な選択可能領域を表示するように構成された請求項１記載の加熱調理器。
【請求項３】
前記選択領域への操作に応じて、前記操作表示部が、前記加熱領域の動作状態を設定するための設定領域を表示するように構成された請求項１に記載の加熱調理器。
【請求項４】
前記設定領域が、前記加熱領域の動作状態を設定するための設定アイコンを含み、前記設定アイコンへの操作に応じて、前記操作表示部が、他の設定アイコンを前記設定領域に表示するように構成された請求項３に記載の加熱調理器。
【請求項５】
前記操作表示部が、前記選択領域上または前記選択領域の近傍に、前記加熱領域の動作状態を表示するように構成された請求項３に記載の加熱調理器。
【請求項６】
前記設定領域による動作状態の設定が完了すると、前記操作表示部が前記設定領域を消去するように構成された請求項３に記載の加熱調理器。
【請求項７】
前記設定領域の表示から所定時間の後に、前記操作表示部が前記設定領域を消去するように構成された請求項３に記載の加熱調理器。
【請求項８】
前記設定領域の表示中に、前記タッチパネル上のドラッグ操作に応じて、前記制御部が、前記タッチパネル上に他の選択領域を設定し、前記他の選択領域に対応して前記天板上に新たな加熱領域を設定し、前記他の選択領域への操作に応じて、前記操作表示部が、前記新たな加熱領域の動作状態を設定する新たな設定領域を表示するように構成された請求項３に記載の加熱調理器。
【発明の詳細な説明】
【技術分野】
【０００１】
本開示は、誘電加熱コイルを有する加熱調理器に用いられる操作表示装置に関するものである。
【背景技術】
【０００２】
従来、この種の加熱調理器は、天板の下方に複数（例えば、三つ）の誘導加熱コイル（coil）（以下、ＩＨコイルという）を含む加熱部と、各ＩＨコイルの火力レベル（Power level）を表示する火力表示部と、各ＩＨコイルに対して火力レベルの変更などの操作を行う操作部とを備える。【０００３】
その中に、各ＩＨコイルの近傍の天板上に、対応する火力表示部と操作部とがそれぞれ設けられたものが知られている（例えば、特許文献１参照）。本構成によれば、各ＩＨコイルが、いずれの火力表示部および操作部に対応するかが容易に理解できる。【０００４】
上記従来技術は、一つのＩＨコイルで一つの被加熱物（例えば、鍋）を誘導加熱する構成である。このため、使用者は被加熱物を天板上の所定の位置に載置しなければならない。【０００５】
近年、多数の通常より小型のＩＨコイルが、天板全体の下方に例えばマトリクス状に配置され、天板上の任意の位置に載置された被加熱物を誘導加熱することが可能な加熱調理器が提案されている（例えば、特許文献２参照）。【０００６】
上記従来技術に係る加熱調理器は、天板の下方に多数の赤外線センサを有し、赤外線センサからの情報に基づいて被加熱物の位置を検知することができる。それに加えて、上記従来技術に係る加熱調理器は、火力表示部および操作部を被加熱物の近傍に表示させることにより、快適な操作性を実現するものである。
【先行技術文献】
【特許文献】
【０００７】
【特許文献１】特開２００７−１８７８６号公報
【特許文献２】特開２００９−２３８５７５号公報
【発明の概要】
【０００８】
しかしながら、上記特許文献２に係る従来技術では、被加熱物の位置を検知するための多数の赤外線センサなど、精度よく被加熱物の位置を検知する手段が必要となる。そのため、このような加熱調理器は価格が高いという問題を有する。
【０００９】
本開示に係る加熱調理器は、操作性を損なうことなく、被加熱物の載置位置に関する自由度を向上させた、より安価な加熱調理器を提供することを目的とする。
【００１０】
上記従来の問題点を解決するために、本開示の一態様に係る加熱調理器は、天板と複数のＩＨコイルと操作表示部と駆動部と制御部とを備える。
【００１１】
複数のＩＨコイルは、被加熱物が載置される天板の下方に設けられ、被加熱物を誘導加熱する。操作表示部は、タッチパネル（Touch panel）で構成され、タッチパネルへの操作を促す情報を表示し、タッチパネルへの操作を入力する。駆動部は複数のＩＨコイルを駆動する。制御部は、操作表示部への操作に応じて操作表示部と駆動部とを制御する。
【００１２】
さらに、制御部は、タッチパネル上のドラッグ操作（Drag operation）に応じて、タッチパネル上に選択領域を、天板上に加熱領域をそれぞれ設定する。操作表示部は選択領域を表示する。駆動部は加熱領域に対応する一つ以上のＩＨコイルを駆動する。
【００１３】
本態様によれば、タッチパネルへのタッチ操作およびドラッグ操作により、天板上に加熱領域を設定することが可能となる。その結果、被加熱物の載置位置に関する自由度を改善することが可能となる。
【００１４】
また、本態様によれば、天板上に載置された被加熱物の位置を検知するための赤外線センサなどを必要としないため、上記加熱調理器を安価に提供することが可能となる。
【図面の簡単な説明】
【００１５】
【図１】図１は、本開示の実施の形態に係る加熱調理器の外観を示す斜視図である。
【図２】図２は、実施の形態に係る加熱調理器の制御に関するブロック構成図である。
【図３】図３は、実施の形態における選択領域および加熱領域の設定方法を示すフローチャートである。
【図４】図４は、初期画像が表示された状態を示す図である。
【図５】図５は、タッチ操作が行われた区画が点灯した状態を示す図である。
【図６】図６は、ドラッグ操作により複数の隣接する区画が点灯した状態を示す図である。
【図７】図７は、ドラッグ操作により複数の隣接する区画が点灯した状態を示す図である。
【図８】図８は、実施の形態における選択領域および加熱領域の動作状態を設定する方法を示すフローチャートである。
【図９】図９は、設定領域が表示された状態を示す図である。
【図１０】図１０は、動作状態が設定領域上に表示された状態を示す図である。
【発明を実施するための形態】
【００１６】
本開示の第１の態様に係る加熱調理器は、天板と複数のＩＨコイルと操作表示部と駆動部と制御部とを備える。
【００１７】
複数のＩＨコイルは、被加熱物が載置される天板の下方に設けられ、被加熱物を誘導加熱する。操作表示部は、タッチパネルで構成され、タッチパネルへの操作を促す情報を表示し、タッチパネルへの操作を入力する。駆動部は複数のＩＨコイルを駆動する。制御部は、操作表示部への操作に応じて操作表示部と駆動部とを制御する。
【００１８】
さらに、制御部は、タッチパネル上のドラッグ操作に応じて、タッチパネル上に選択領域を、天板上に加熱領域をそれぞれ設定する。操作表示部は選択領域を表示する。駆動部は加熱領域に対応する一つ以上のＩＨコイルを駆動する。
【００１９】
本態様によれば、タッチパネルへのタッチ操作およびドラッグ操作により、天板上に加熱領域を設定することが可能となる。その結果、被加熱物の載置位置に関する自由度を改善することが可能となる。
【００２０】
また、本態様によれば、天板上に載置された被加熱物の位置を検知するための赤外線センサなどを必要としないため、上記加熱調理器を安価に提供することが可能となる。
【００２１】
本開示の第２の態様に係る加熱調理器は、第１の態様において、操作表示部が、選択領域を設定することが可能な選択可能領域を表示するように構成されたものである。本態様によれば、選択領域が設定可能なタッチパネル上の領域を、使用者が容易に視認することができる。
【００２２】
本開示の第３の態様に係る加熱調理器は、第１の態様において、選択領域への操作に応じて、操作表示部が、加熱領域の動作状態を設定するための設定領域を表示するように構成されたものである。
【００２３】
本態様によれば、表示された設定領域が、直前に操作された選択領域に対応する加熱領域の動作状態の設定用であるということを、使用者が容易に認識することができる。
【００２４】
本開示の第４の態様に係る加熱調理器は、第３の態様において、加熱領域の動作状態を設定するための設定アイコン（Icon）を含み、設定アイコンへの操作に応じて、操作表示部が、他の設定アイコンを設定領域に表示するように構成されたものである。
【００２５】
本態様によれば、多数の設定アイコンが操作表示部に同時に表示されず、設定アイコンへの操作毎に、次に操作可能な新たな設定アイコンが順に表示されるため、操作性を改善することができる。
【００２６】
本開示の第５の態様に係る加熱調理器は、第３の態様において、操作表示部が、選択領域上または選択領域の近傍に、加熱領域の動作状態を表示するように構成されたものである。本態様によれば、加熱領域の位置とその加熱領域の動作状態とを、使用者が容易に視認することができる。
【００２７】
本開示の第６の態様に係る加熱調理器は、第３の態様において、設定領域による動作状態の設定が完了すると、操作表示部が設定領域を消去するように構成されたものである。本態様によれば、所定の条件を満たすと設定領域を自動的に消去することで、使用者の手間を省くことができる。
【００２８】
本開示の第７の態様に係る加熱調理器は、第３の態様において、設定領域の表示から所定時間の後に、操作表示部が設定領域を消去するように構成されたものである。本態様によれば、所定の条件を満たすと設定領域が自動的に消去することで、使用者の手間を省くことができる。
【００２９】
本開示の第８の態様に係る加熱調理器は、設定領域の表示中に、タッチパネル上のドラッグ操作に応じて、制御部が、タッチパネル上に他の選択領域を設定し、他の選択領域に対応して天板上に新たな加熱領域を設定し、他の選択領域への操作に応じて、操作表示部が、新たな加熱領域の動作状態を設定するための新たな設定領域を表示するように構成されたものである。
【００３０】
本態様によれば、複数の加熱領域を天板上に設定し、各加熱領域の動作状態を個別に設定することができる。
【００３１】
以下、本開示の実施の形態について、図面を参照しながら説明する。
【００３２】
図１は、本開示の実施の形態に係る加熱調理器の外観を示す斜視図である。図１に示すように、加熱調理器１の上面に、被加熱物を載置するための天板２が設けられる。天板２上には、主電源スイッチ６と操作表示部７とが設けられる。
【００３３】
操作表示部７は、マトリクス型液晶ディスプレイで構成された表示部４と、表示部４を覆うタッチパネル５とを有する。操作表示部７は、使用者に対してタッチパネル５への操作を促す情報を表示部４に表示し、使用者によるタッチパネル５への操作を入力する。
【００３４】
ＩＨコイル群３は、天板２の下方に、下記のように配列された２２個のＩＨコイル（ＩＨコイル１１〜１８、２１〜２６、３１〜３８）を含む。
【００３５】
すなわち、天板２の左側の下方に、八つのＩＨコイル（ＩＨコイル１１〜１８）が互いに近接して４行２列のマトリクス状に配列される。これらのＩＨコイルの上方の天板２上に、最大で八つのＩＨコイルで誘導加熱することが可能な加熱可能領域１０が構成される。
【００３６】
加熱可能領域１０から少し間隔を置いて、天板２の中央の下方に、六つのＩＨコイル（ＩＨコイル２１〜２６）が互いに近接して３行２列のマトリクス状に配列される。これらのＩＨコイルの上方の天板２上に、最大で六つのＩＨコイルで誘導加熱することが可能な加熱可能領域２０が構成される。
【００３７】
加熱可能領域２０から少し間隔を置いて、天板２の右側の下方に、八つのＩＨコイル（ＩＨコイル３１〜３８）が互いに近接して４行２列のマトリクス状に配列される。これらのＩＨコイルの上方の天板２上に、最大で八つのＩＨコイルで誘導加熱することが可能な加熱可能領域３０が構成される。
【００３８】
加熱調理器１はさらに、その内部に、タッチ操作判定部２０１と制御部２０２と駆動部２０３とインバータ（Inverter）群８とを有する（図２参照）。
【００３９】
タッチ操作判定部２０１と制御部２０２と駆動部２０３は、互いに独立した集積回路（制御部２０２はマイクロコンピュータ）で構成される。インバータ群８は、２２個のＩＨコイルにそれぞれを駆動するために、例えば、互いに独立した２２個のインバータを含む。
【００４０】
図２は、本実施の形態に係る加熱調理器の制御に関するブロック構成図である。
【００４１】
図２において、タッチ操作判定部２０１は、タッチパネル５が検知した情報が、使用者によるタッチ操作（Touch operation）であるかどうかを判定し、タッチ操作が行われた場所を特定するためにタッチパネル５上の座標情報を出力する。なお、本実施の形態において、タッチ操作とは、使用者の指などの人体の一部によるタッチパネル５への接触を意味する。
【００４２】
制御部２０２は、タッチ操作判定部２０１からの情報に応答して、表示部４を制御して表示部４に所望の画像を表示し、インバータ群８に含まれる各インバータを制御するよう、駆動部２０３に通知する。
【００４３】
駆動部２０３は、制御部２０２からの通知に応じて、インバータ群８に含まれる各インバータを構成するスイッチング素子に制御信号を出力する。インバータ群８に含まれる各インバータは、駆動部２０３からの制御信号に応じて、それぞれ対応するＩＨコイルに誘導加熱のための電力を供給する。すなわち、駆動部２０３は、インバータ群８を制御することにより、ＩＨコイル群３を駆動する。
【００４４】
＜選択領域および加熱領域の設定＞
ここで、タッチパネル５上の選択領域と天板２上の加熱領域との設定方法について、図面およびフローチャートを参照して説明する。
【００４５】
図２に示すように、選択領域と加熱領域との設定のために、制御部２０２は、選択領域判定部２１１と加熱領域判定部２１２とを有する。これらは、マイクロコンピュータである制御部２０２において動作するソフトウェアで構成される。
【００４６】
選択領域判定部２１１は、タッチ操作判定部２０１からの座標情報が、タッチパネル５上の所定の領域内である場合、その座標情報に応じて、タッチ操作により選択されたタッチパネル５上の領域を選択領域に設定する。加熱領域判定部２１２は、設定された選択領域に対応する、天板２上の加熱領域を決定する。
【００４７】
図３は、本実施の形態における選択領域および加熱領域の設定方法を示すフローチャートである。図４は、表示部４に初期画像が表示された状態を示す図である。図５は、タッチ操作が行われた区画が点灯した状態を示す図である。図６、図７は、ドラッグ操作により複数の隣接する区画が点灯した状態を示す図である。
【００４８】
主電源スイッチ６を操作して加熱調理器１の電源をＯＮすると、ステップＳ１００において、表示部４は図４に示す初期画像を表示する。初期画像は、表示部４の左側に表示された選択可能領域３１０と、表示部４の中央に表示された選択可能領域３２０と、表示部４の右側に表示された選択可能領域３３０とを含む（図４参照）。
【００４９】
選択可能領域３１０は、天板２上の加熱可能領域１０の下方に設けられたＩＨコイル１１〜１８の中から作動させるべきＩＨコイルを選択するための、タッチパネル５上の領域である。
【００５０】
同様に、選択可能領域３２０は、天板２上の加熱可能領域２０の下方に設けられたＩＨコイル２１〜２６の中から作動させるべきＩＨコイルを選択するための、タッチパネル５上の領域である。選択可能領域３３０は、天板２上の加熱可能領域３０の下方に設けられたＩＨコイル３１〜３８の中から作動させるべきＩＨコイルを選択するための、タッチパネル５上の領域である。
【００５１】
図４に示すように、タッチ操作判定部２０１からの座標情報に関する座標系は、タッチパネル５の左上隅を原点として、図４における横方向を、右側を正とするＸ座標に、図４における前後方向を、手前側を正とするＹ座標にそれぞれ定義する。選択可能領域３１０、３２０、３３０は、区画３１１〜３１８、区画３２１〜３２６、区画３１１〜３１８をそれぞれ含む。
【００５２】
ステップＳ１０１において、初期画像（図４参照）の表示中、タッチ操作判定部２０１は、タッチパネル５へのタッチ操作を静電容量の変化により検知すると、ステップＳ１０２において、タッチ操作判定部２０１は、タッチ操作のあったタッチパネル５上の位置に対応する座標情報（以下、検知座標という）を制御部２０２に送信する。
【００５３】
ステップＳ１０３において、選択領域判定部２１１が、検知座標が選択可能領域３１０、３２０、３３０のいずれにも含まれないと判定した場合、処理はステップＳ１０１に戻る。
【００５４】
ステップＳ１０３において、選択領域判定部２１１が、検知座標が選択可能領域３１０、３２０、３３０のいずれかに含まれると判定した場合、選択領域判定部２１１は、ステップＳ１０４において以下の処理を行う。
【００５５】
選択領域判定部２１１は、その検知座標に応じた区画３１７を選択領域４０１として設定するとともに、区画３１７を点灯させる（図５参照）。
【００５６】
この状態から引き続いてＸ座標の正方向かつＹ座標の負方向（すなわち斜め右後方）へのドラッグ操作が行われると、選択領域判定部２１１は、検知座標に応じたすべての区画、すなわち、区画３１５、３１６、３１８を、区画３１７に加えて選択領域４０１として設定し、合計四つの区画を点灯させる（図６参照）。
【００５７】
さらに引き続いてＹ座標の負方向（すなわち後方）へのドラッグ操作が行われると、選択領域判定部２１１は、区画３１３、３１４を、区画３１５〜３１８に加えて選択領域４０１として設定し、合計六つの区画を点灯させる（図７参照）。
【００５８】
タッチパネル５へのタッチ操作およびドラッグ操作が終了すると、その時点で点灯する区画（図７では区画３１５〜３１８）が、一連のタッチ操作およびドラッグ操作による、最終的な選択領域４０１として設定される。
【００５９】
ステップＳ１０５において、加熱領域判定部２１２は、区画３１１〜３１８、区画３２１〜３２６、区画３１１〜３１８を、ＩＨコイル１１〜１８、２１〜２６、３１〜３８にそれぞれ対応づけることにより、設定された選択領域４０１に対応した加熱領域を設定する。加熱領域判定部２１２は、設定された加熱領域に対応するＩＨコイルとインバータとの対を特定する。
【００６０】
以上のように、本実施の形態によれば、タッチパネル５へのタッチ操作およびドラッグ操作により、天板２上に加熱領域を設定することが可能となる。その結果、被加熱物の載置位置に関する自由度を改善することが可能となる。
【００６１】
本実施の形態においては、選択可能領域３１０を例として説明した。選択可能領域３２０、選択可能領域３３０に対しても、同様に操作されることにより、選択領域が設定され点灯される。
【００６２】
本実施の形態において、使用者が操作状態を認識し易くするために、選択領域の設定中と設定終了後とで、点灯する選択領域４０１の色、画像などを変更してもよい。
【００６３】
本実施の形態において、選択領域が設定された後、所定の時間内に同じ選択領域がドラッグ操作された場合、選択領域の範囲を変更できるように、制御部２０２を構成してもよい。
【００６４】
ＩＨコイル群３に含まれるＩＨコイルの数を増加させ、例えば、天板２上のほぼ全域を覆う一つの加熱可能領域を設ける構成としても、本実施の形態と同様の効果を得ることができる。
【００６５】
＜加熱領域の動作状態の設定＞
次に、天板２上に設定された加熱領域の動作状態を設定する方法について、図面およびフローチャートを参照して説明する。
【００６６】
図２に示すように、選択領域４０１に対応して設定された加熱領域の動作状態を設定するために、制御部２０２は、加熱領域管理部２１３と設定領域制御部２２１と操作項目判定部２２２とを有する。これらは、マイクロコンピュータである制御部２０２において動作するソフトウェアで構成される。
【００６７】
ここで、加熱領域の動作状態とは、設定された加熱領域に対応するＩＨコイルの動作を意味し、少なくとも「加熱」、「停止」を含む。「加熱」動作の場合、火力レベルが付随する。
【００６８】
加熱領域管理部２１３は、上記ＩＨコイルとインバータとの対に所望の動作を行わせるように、駆動部２０３に通知し、その通知に応じた加熱領域の動作状態を記憶する。操作項目判定部２２２は、設定された加熱領域に設定可能な操作項目を、加熱領域の動作状態に応じて判定する。
【００６９】
設定領域制御部２２１は、設定領域を表示部４に表示させる。設定領域は、操作項目判定部２２２により判定された操作項目に対応する設定アイコンを含む。
【００７０】
図８は、本実施の形態における選択領域および加熱領域の動作状態を設定する方法を示すフローチャートである。
【００７１】
ステップＳ２００において、図７に示す画像の表示中、タッチ操作判定部２０１は、タッチパネル５へのタッチ操作を検知すると、ステップＳ２０１において、タッチ操作判定部２０１は、検知座標を制御部２０２に送信する。
【００７２】
ステップＳ２０２において、設定領域制御部２２１が、検知座標が選択領域４０１に含まれないと判定した場合、処理はステップＳ２００に戻る。
【００７３】
ステップＳ２０２において、設定領域制御部２２１が、検知座標が選択領域４０１に含まれると判定した場合、ステップＳ２０３において、操作項目判定部２２２は、加熱領域管理部２１３が管理する加熱領域の動作状態を取得する。
【００７４】
ステップＳ２０４において、操作項目判定部２２２は、加熱領域の状態に応じて設定可能な操作項目を判定し、ステップＳ２０５において、設定領域制御部２２１は、判定された操作項目に対応する設定アイコンを含む設定領域を表示部４に表示させる。
【００７５】
図９は、設定領域５０１が表示部４に表示された状態を示す図である。
【００７６】
図９に示すように、ステップＳ２０５の処理後、表示部４は、設定アイコン５０２、５０３、５０４を含む設定領域５０１を表示する。設定アイコン５０２、５０３、５０４には、操作項目判定部２２２により判定され、加熱領域の状態に応じて設定可能な操作項目が表示される。
【００７７】
設定アイコン５０２には、加熱領域の動作状態を「加熱」に設定するための文字が表示される。設定アイコン５０３には、加熱領域の動作状態を、所定の自動調理である「メニューＡ」に設定するための文字が表示される。設定アイコン５０４には、加熱領域の動作を、「メニューＡ」とは異なる所定の自動調理である「メニューＢ」に設定するための文字が表示される。
【００７８】
ステップＳ２０６において、設定領域５０１の表示中、設定領域制御部２２１は、設定アイコン５０２、設定アイコン５０３、設定アイコン５０４のいずれかへのタッチ操作を待機する。
【００７９】
設定領域制御部２２１は、そのタッチ操作を検知すると、ステップＳ２０７において、選択領域４０１上に、操作された設定アイコンに対応する動作状態を表示する。加熱領域管理部２１３はその動作状態を記憶する。
【００８０】
図１０は、ステップＳ２０７の処理後、動作状態が設定領域上に表示された状態を示す図である。図１０に示すように、選択領域４０１上には、現在の加熱領域の動作状態を示す状態表示４０２と、現在の火力レベルを示す火力表示４０３とが現れる。選択領域４０１上ではなく選択領域４０１の近傍に、状態表示４０２と火力表示４０３とを表示してもよい。
【００８１】
設定領域５０１上には、表示される設定アイコンが切り替えられ、現在の火力レベルを示す火力表示５０５と、火力レベルを一段階ずつ上げるための火力調整アイコン５０６と、火力レベルを一段階ずつ下げるための火力調整アイコン５０７とが表示される。
【００８２】
火力調整アイコン５０６、５０７が操作されると、加熱領域管理部２１３は、設定された火力レベルを、その操作に応じてそれぞれ一段階ずつ上げ下げする。
【００８３】
最後に、ステップＳ２０８において、加熱領域管理部２１３は、操作された設定アイコンに対応する加熱領域の動作状態を駆動部２０３に通知する。駆動部２０３は、制御部２０２からの通知に応じてＩＨコイル群３を駆動する。
【００８４】
以上のように、本実施の形態によれば、設定された加熱領域の動作状態を設定する設定領域５０１が、現在の動作状態に応じて切り替えて表示される。すなわち、多数の設定アイコンが表示部４に同時に表示されず、設定アイコンへの操作毎に、次に操作可能な新たな設定アイコンが順に表示される。その結果、操作性を改善することができる。
【００８５】
本実施の形態によれば、状態表示４０２と火力表示４０３とを、選択領域４０１上または選択領域４０１の近傍に表示する。これにより、加熱領域と、その加熱領域に対する動作状態および火力レベルとを容易に対応づけることができる。
【００８６】
なお、設定領域５０１に表示される設定アイコンには、状態表示だけでなく、選択領域４０１の大きさまたは位置に応じて、表示する内容、例えば、表示する自動調理メニューの種類などを変更してもよい。
【００８７】
＜設定領域の表示の終了＞
次に、設定領域５０１の表示を終了させるタイミングについて、図面およびフローチャートを参照して説明する。
【００８８】
図２に示すように、設定領域５０１の表示を終了させるために、制御部２０２は、操作完了判定部２２３と無操作時間測定部２２４とを有する。これらは、マイクロコンピュータである制御部２０２において動作するソフトウェアで構成される。
【００８９】
操作完了判定部２２３は、設定領域５０１による設定が完了したかどうかを判定する。操作完了判定部２２３は、設定領域５０１による設定が完了した場合、すなわち、設定領域５０１に切り替えて表示すべき設定アイコンがない場合、そのことを設定領域制御部２２１に通知する。
【００９０】
無操作時間測定部２２４は、設定領域５０１の表示後、設定領域５０１に対してタッチ操作が行われない時間、すなわち、設定領域５０１への無操作時間を測定する。無操作時間が所定時間を越えると、無操作時間測定部２２４はそのことを設定領域制御部２２１に通知する。
【００９１】
これらの通知に応じて、設定領域制御部２２１は、表示部４上の設定領域５０１を消去する。
【００９２】
以上のように、本実施の形態によれば、所定の条件を満たすと設定領域５０１を自動的に消去することで、使用者の手間を省くことができる。
【００９３】
なお、本実施の形態において、例えば、操作表示部７に対する操作により、無操作時間に関する所定時間を変更可能としてもよい。
【００９４】
＜複数の設定領域および加熱領域の設定＞
設定領域５０１の表示中に、例えば、選択可能領域３２０に対してタッチ操作およびドラッグ操作が行われると、制御部２０２は、選択可能領域３２０上に新たな選択領域を設定し、新たな選択領域に対応して天板２上に新たな加熱領域を設定する。
【００９５】
新たな選択領域に対してタッチ操作が行われると、制御部２０２は、設定領域５０１の表示内容を、新たな加熱領域に対応する新たな設定アイコンに切り替えて表示させる。
【００９６】
本実施の形態によれば、複数の加熱領域を天板２上に設定し、各加熱領域に対する動作状態を個別に設定することができる。
【産業上の利用可能性】
【００９７】
以上のように、本開示に係る操作表示装置は、民生用および業務用のＩＨ調理コンロなどの加熱調理器に適用可能である。
【符号の説明】
【００９８】
１  加熱調理器
２  天板
３  ＩＨコイル群
４  表示部
５  タッチパネル
６  主電源スイッチ
７  操作表示部
８  インバータ群
１０，２０，３０  加熱可能領域
１１〜１８，２１〜２６，３１〜３８  ＩＨコイル
２０１  タッチ操作判定部
２０２  制御部
２０３  駆動部
２１１  選択領域判定部
２１２  加熱領域判定部
２１３  加熱領域管理部
２２１  設定領域制御部
２２２  操作項目判定部
２２３  操作完了判定部
２２４  無操作時間測定部
３１０，３２０，３３０  選択可能領域
４０１  選択領域
４０２  状態表示
４０３，５０５  火力表示
５０１  設定領域
５０２，５０３，５０４  設定アイコン
５０６，５０７  火力調整アイコン
【図１】
2016009627.tif 000003
【図２】
2016009627.tif 000004
【図３】
2016009627.tif 000005
【図４】
2016009627.tif 000006
【図５】
2016009627.tif 000007
【図６】
2016009627.tif 000008
【図７】
2016009627.tif 000009
【図８】
2016009627.tif 000010
【図９】
2016009627.tif 000011
【図１０】
2016009627.tif 000012
【国際調査報告】
2016009627.tif 000013
2016009627.tif 000014
2016009627.tif 000015
2016009627.tif 000016